(57)【特許請求の範囲】
【請求項１】
入出力端子間に電流通過用のチョークコイルを備える受動機器において、
少なくとも、幅Ｗが前記チョークコイルの幅以上であり、長さＬが前記チョークコイルのコイル部分の長さ以上の寸法からなる開口部を、当該チョークコイルが対向配置される基板位置に穿設すると共に、この開口部の周囲に基板の接地パターンを敷設することを特徴とする受動機器。
【発明の詳細な説明】
【０００１】
【発明の属する技術分野】
本発明は、例えば、衛星放送を共同受信するシステムや、ＣＡＴＶシステムに用いて好適な分岐器、分配器等の受動機器に関する。
【０００２】
【従来の技術】
従来より、受動機器として、高周波入力信号を等分配して出力したり、高周波入力信号の一部を抽出して１つまたは複数の分岐端子へ出力する一方、その残りの入力信号を出力端子に出力する分岐器や分配器が知られている。このような分岐器や分配器は、集合住宅において衛星放送を共同受信するシステムや、ＣＡＴＶシステムのタップオフ等に用いられている。
【０００３】
さて、分岐器、分配器では、高周波信号を分岐・分配する機能以外にも電流通過機能を持たせる場合が多い。その一例としては、分岐器、分配器の出力端側から入力端側へＢＳコンバータ用の駆動電流を供給するものが挙げられる。
図３は、こうした電流通過機能を備える受動機器である分岐器の一構成例を示す回路図である。この図に示す分岐器は、入力端ＩＮに供給される高周波入力信号を分岐端ＢＲへ分岐出力すると共に、出力端ＯＵＴへ出力する１分岐器である。
【０００４】
この１分岐器は、直流信号をカットして高周波信号を通過させるバイパスコンデンサＣ１〜Ｃ３と、トランス結合により分岐出力を発生する分岐トランスＴＲと、このトランスＴＲの出力側に設けられ、分岐出力インピーダンスを整合させる抵抗Ｒと、上述した電流通過機能を具現するチョークコイルＣＨ１，ＣＨ２およびコンデンサＣＴとから構成されている。
上記構成による１分岐器では、チョークコイルＣＨ１，ＣＨ２のインダクタンスＬと、基板／コイル間の浮遊容量Ｃとにより発生するトラップ（ＬＣ共振回路）が入力端ＩＮと出力端ＯＵＴとの間の挿入損失特性を劣化させる。その為、チョークコイルＣＨ１，ＣＨ２に対して上記コンデンサＣＴを容量結合させてトラップの共振点を分岐器の使用周波数帯域よりも低域側へシフトさせ、分岐器の挿入損失特性を実効的に改善している。
【０００５】
ところで、チョークコイルＣＨ１，ＣＨ２およびコンデンサＣＴを用いてトラップの共振点を低域側へシフトさせる手法では、部品点数の削減や製造工程の簡略化といった製品コスト低減策に対応できず、また、近年のＢＳ・ＣＳ放送あるいはＣＡＴＶ（ケーブルテレビジョン）の普及に伴い、低域から高域にわたって均一で安定した挿入損失特性が要求されているという背景もあり、１つのチョークコイルで電流通過機能を実現させている。
【０００６】
１つのチョークコイルを用いて上記の要求を満たすには、プリント基板に実装されたチョークコイルと、当該基板の接地パターンとの間に発生する浮遊容量成分を如何に低減させるかがポイントになる。
その為、従来では、図４に示すように、低誘電率の絶縁スペーサ２をプリント基板ＰＷＢとチョークコイル１との間に介在させて基板実装し、これによりコイル１と基板ＰＷＢとを所定の間隔で一定に保持する構造として浮遊容量を低減させてトラップの影響を抑えるようにしており、この技術の詳細については実開平６−３４２１２号に開示されている。
【０００７】
【発明が解決しようとする課題】
ところで、上記公報に開示される装置においては、トラップの影響を抑えるために絶縁スペーサ２が必須になるので、部品点数が増加してコストアップを招致するという問題がある。
また、部品実装に際しては、予め絶縁スペーサ２の両端部に設けられている貫通孔にチョークコイル１のリードを通した状態にしておく必要があり、この為、作業性が低下して部品の自動実装化が難しくなるという弊害も生じる。
本発明は、このような事情に鑑みてなされたもので、作業性の低下やコストアップを招致することなく、トラップの影響を防止し得る分岐器、分配器等の受動機器を提供することを目的としている。
【０００８】
【課題を解決するための手段】
上記目的を達成するため、本発明では、入出力端子間に電流通過用のチョークコイルを備える受動機器において、少なくとも、幅Ｗが前記チョークコイルの幅以上であり、長さＬが前記チョークコイルのコイル部分の長さ以上の寸法からなる開口部を、当該チョークコイルが対向配置される基板位置に穿設すると共に、この開口部の周囲に基板の接地パターンを敷設することを特徴としている。
【０００９】
本発明では、チョークコイルが対向配置される基板位置に、周囲を接地パターンで囲んだ開口部を設けることによって、基板とチョークコイルとの間隙に空気の誘電率を介在させて浮遊容量成分を少なくし、トラップの影響を低減している。
つまり、単に基板に開口部を穿設するだけで浮遊容量成分を少なくしてトラップの影響を低減できるので、絶縁スペーサを介在させる従来のもののように、作業性の低下やコストアップを招致することなく、トラップの影響を低減することが可能になっている。
【００１０】
【発明の実施の形態】
本発明による分岐器、分配器等の受動機器は、衛星放送を共同受信するシステムあるいはＣＡＴＶシステムの設備機器などに適用され得る。以下では、本発明の実施の形態である分岐器を実施例として図面を参照して説明する。
なお、本実施例は前述した従来例と同様に１つのチョークコイル１を用いて電流通過機能を具現するものであるから、その回路構成については説明を省略する。この実施例が従来例と異なる点は、チョークコイル１が装着される基板形態にあり、それについて図１を参照して説明する。
【００１１】
まず、図１は分岐器におけるチョークコイル１の実装形態を説明する為の図であり、同図（イ）はプリント基板ＰＷＢを実装面から見た正面図、同図（ロ）は断面図、同図（ハ）はプリント基板ＰＷＢをパターン面から見た背面図である。
これら図１（イ）〜（ハ）において、２ａ，２ｂはプリント基板ＰＷＢの回路パターンＣＰに穿設されたリード挿入用の孔である。この孔２ａ，２ｂを介してチョークコイル１のリードがプリント基板ＰＷＢの裏面の回路パターンＣＰにハンダ固定される。ＥＡは、孔２ａ，２ｂを介して実装されたチョークコイル１に対向配置される開口部であり、幅Ｗ×長さＬで基板ＰＷＢを切り欠いたものである。
【００１２】
開口部ＥＡの寸法は、少なくとも幅Ｗがチョークコイル１の幅以上であって、長さＬが当該チョークコイル１に巻かれているコイル部分の長さＣＬ以上で且つ孔２ａ，２ｂまでの長さであることが要求される。また、開口部ＥＡは、図１（ハ）に図示する通り、接地パターンＧＰに取囲まれる位置に配置されることが要求される。
このように、チョークコイル１の取り付け位置に対向し、少なくとも幅Ｗがチョークコイル１の幅以上であって、長さＬが当該チョークコイル１に巻かれているコイル部分の長さＣＬ以上となる寸法の開口部ＥＡを接地パターンＧＰに取囲まれるようにしたのは、プリント基板ＰＷＢとチョークコイル１との間隙に空気の誘電率を介在させることによって、浮遊容量成分を少なくしてトラップの影響を低減する為である。
【００１３】
図２は、こうした開口部ＥＡの有無による分岐器の挿入損失特性を対比した図であり、図中の実線で示す特性が開口部ＥＡを設けた場合を表わし、一方、破線で示す特性が開口部ＥＡが無い場合を表わしている。
この図から明らかなように、開口部ＥＡを設けた場合には、５００ＭＨｚ付近で発生していたトラップの影響が０．４ｄＢ向上し、この結果、低域から高域にわたって均一で安定した特性を得ることが可能になる。
【００１４】
したがって、本発明では、プリント基板ＰＷＢに上記関係で開口部ＥＡを穿設するだけで浮遊容量成分が少なくなるので、従来のように、絶縁スペーサ２を用いる必要がなくなり、これ故、作業性の低下やコストアップを招致することなく、トラップの影響を低減することが可能になる訳である。
なお、上述した実施例では、分岐器を一例に挙げて説明したが、これは勿論、電流通過用のチョークコイルを備える分配器等の受動機器であれば同様に適用可能である。
【００１５】
【発明の効果】
本発明によれば、チョークコイルが配置される基板位置に、周囲を接地パターンで囲んだ開口部を設けることによって、基板とチョークコイルとの間隙に空気の誘電率を介在させて浮遊容量成分を少なくし、トラップの影響を低減しているので、絶縁スペーサを介在させる従来のもののように、作業性の低下やコストアップを招致することなく、トラップの影響を低減することができる。
【図面の簡単な説明】
【図１】本発明の一実施例におけるチョークコイル１の基板装着形態を説明するための図である。
【図２】開口部ＥＡの有無による分岐器の挿入損失特性を対比する特性図である。
【図３】従来例を説明するための図である。
【図４】従来例を説明するための図である。
【符号の説明】
１  チョークコイル
ＥＡ  開口部
ＧＰ  接地パターン
ＰＷＢ  プリント基板
【図１】
0003592814.tif 000002
【図２】
0003592814.tif 000003
【図３】
0003592814.tif 000004
【図４】
0003592814.tif 000005